(57)【要約】【課題】電気掃除機において寝具などの塵埃をたたき出すことが可能な簡便な機構を提供することを目的とする。【解決手段】おもりが回転軸に偏心して取り付けられた振動モータと、振動モータを内蔵するモータケースと、振動モータの振動を清掃面に伝えるたたき部とを備え、たたき部は振動モータと上下方向に並ぶよう、モータケースと一体的に構成され、振動モータは回転軸が上下方向と交差する方向を向くようにモータケースに配置されることを特徴とする、電気掃除機のヘッドと、当該電気掃除機のヘッドを備えた電気掃除機を提供する。【選択図】図１３
2020195910.tif 000002
【特許請求の範囲】
【請求項１】
塵埃を吸引するための吸込口が形成されたヘッドであって、
おもりが回転軸に偏心して取り付けられた振動モータと、
前記振動モータを内蔵するモータケースと、
前記振動モータの振動を清掃面に伝えるたたき部と、を備え、
前記たたき部は、前記振動モータと上下方向に並ぶよう、前記モータケースと一体的に構成され、
前記振動モータは、前記回転軸が上下方向と交差する方向を向くように前記モータケースに配置され、
前記たたき部は、前記振動モータの直下であって、前記モータケースの底部に配されることを特徴とする、電気掃除機のヘッド。
【請求項２】
前記吸込口が形成されたヘッド下部と、
前記ヘッド下部に設けられるヘッド上部と、を備え、
前記ヘッド下部には、前記モータケースおよび前記たたき部が設けられることを特徴とする、請求項１に記載の電気掃除機のヘッド。
【請求項３】
前記モータケースと前記たたき部とを接続するために、前記モータケースおよび前記たたき部それぞれに固定される固定具を備えることを特徴とする、請求項１または２に記載の電気掃除機のヘッド。
【請求項４】
前記固定具は、上下方向に延びる部材であることを特徴とする、請求項３に記載の電気掃除機のヘッド。
【請求項５】
電動送風機を有する掃除機本体と、
請求項１〜４のいずれかに記載のヘッドとを備えることを特徴とする、電気掃除機。
【発明の詳細な説明】
【技術分野】
【０００１】
本発明は、電気掃除機のヘッド及びこれを備える電気掃除機に関する。
【背景技術】
【０００２】
従来の電気掃除機は清掃面上の塵埃を吸引することが主な目的であったが、最近では、ふとんなど寝具の塵埃やダニなどのフンなどを吸引することを目的に、寝具を振動させる機構をつけた電気掃除機が各種提案されている。
【０００３】
例えば、特許文献１では、電気掃除機の吸込具にばねで付勢された打撃球を内蔵し、打撃球を上下に可動させて寝具内の塵埃などをたたき出す機構が開示されている。
【先行技術文献】
【特許文献】
【０００４】
【特許文献１】特開平１−２６５９２３号公報
【発明の概要】
【発明が解決しようとする課題】
【０００５】
しかし、特許文献１における電気掃除機は打撃球と吸込具とをつなぐバネの付勢力と吸引力との加減によって打撃球を上下に動かすため、バネの付勢力と吸引力の調整を行うのが困難である。
【０００６】
本発明では、以上の事情を鑑み、電気掃除機のヘッド及びこれを備える電気掃除機において寝具などの塵埃をたたき出すことが可能な簡便な機構を提供する。
【課題を解決するための手段】
【０００７】
上記課題を解決するため請求項１に記載の電気掃除機のヘッドにあっては、塵埃を吸引するための吸込口が形成されたヘッドであって、おもりが回転軸に偏心して取り付けられた振動モータと、振動モータを内蔵するモータケースと、振動モータの振動を清掃面に伝えるたたき部と、を備え、たたき部は、振動モータと上下方向に並ぶよう、モータケースと一体的に構成され、振動モータは、回転軸が上下方向と交差する方向を向くように前記モータケースに配置され、たたき部は、振動モータの直下であって、モータケースの底部に配されることを特徴とするものである。
【発明の効果】
【０００８】
本発明によれば、ハンディ型電気掃除機においてハンディ型電気掃除機において寝具などの塵埃をたたき出すことが可能な簡便な機構を提供することができる。
【図面の簡単な説明】
【０００９】
【図１】本発明にかかる電気掃除機の第１の使用状態時の側面図である。
【図２】本発明にかかる電気掃除機の第１の使用状態時の平面図である。
【図３】本発明にかかる電気掃除機の第１の使用状態時の底面図である。
【図４】本発明にかかる電気掃除機の第２の使用状態時の側面図である。
【図５】本発明にかかる電気掃除機の収納時の正面図である。
【図６】本発明にかかる電気掃除機の収納時の側面図である。
【図７】本発明にかかる電気掃除機の収納時の後方斜視図である。
【図８】本発明にかかる電気掃除機の接続部の分解図である。
【図９】本発明にかかる電気掃除機の接続部の動作説明図であり、図９（ａ）は収納状態を示す図、図９（ｂ）は第１の使用状態を示す図、図９（ｃ）は第２の使用状態を示す図である。
【図１０】本発明にかかる電気掃除機の本体先端部の拡大図である。
【図１１】本発明にかかる電気掃除機の接続部の拡大図である。
【図１２】本発明にかかる電気掃除機の表示部についての分解斜視図である。
【図１３】図１２の一点鎖線Ａ−Ａの断面を模式的に表した図である。
【図１４】図１３の一点鎖線Ｂ−Ｂの断面を模式的に表した図である。
【図１５】本発明にかかる電気掃除機の一点鎖線Ｃ−Ｃで切ったときの断面図である。
【図１６】本発明にかかる電気掃除機のヘッド内部を表した全体斜視図である。
【図１７】本発明にかかる電気掃除機のヘッド内部の配線の引き回しを表した模式図である。
【発明を実施するための形態】
【００１０】
以下に本発明の好適な実施の形態について、図面を参照しながら説明する。なお本実施形態は一例であり、これに限定されるものではない。
【００１１】
まず、図を用いて、本発明にかかる電気掃除機１００の使用状態および収納状態について説明する。本発明にかかる電気掃除機１００の構成について説明する。本発明にかかる電気掃除機１００は、図１〜図３に示すようなヘッド１と本体２とが成す角度がほぼ１８０°の第１の使用状態と、図４に示すようなヘッド１と本体２とが成す角度が自在に変化し、点Ａを中心に回動できる第２の使用状態と、図５〜図７に示すようなヘッド１と本体２とが成す角度がほぼ９０°の状態の収納状態の３つの状態を有する。
【００１２】
本発明にかかる電気掃除機１００は、ヘッド１と本体２とが回動可能に接続されている。ヘッド１の中央に本体２が接続される。このような構成にすることで、本体２をヘッド１の上に垂直になるように立てたときに、本体２の重心がヘッド１の投影面積内に位置するため、電気掃除機１００が倒れることはない。
【００１３】
ここで、第１の使用状態のときヘッド１がある側を「前側」とし、本体２がある側を「後側」とそれぞれ定義する。たとえば図１であれば図面の左側が「前側」、右側が「後側」を表す。また、掃除機を操作する者を基準として左右を定義する。たとえば図２において図面の下側が「左側」、上側が「右側」を示す。図３の場合は、掃除機を清掃面側からみているため図面の上側が「左側」、下側が「右側」になる。
【００１４】
次に本発明にかかる電気掃除機１００の構成について図を用いて説明する。本発明にかかる電気掃除機１００は吸込口１２を有するヘッド１と、電動送風機を内蔵する本体２とからなり、ヘッド１と本体２とは回動可能に接続される。
【００１５】
ヘッド１は、吸込口１２と、後側車輪１４と、センサ検知表示部１６と、窓部１８ａ、１８ｂと、前側車輪２０ａ、２０ｂと、突起部２２ａ〜２２ｉと、たたき部２４ａ、２４ｂと、パイル２６と、紫外線ランプ２８と、接地センサ３０ａ、３０ｂとから構成される。
【００１６】
本体２は、本体側車輪３２と、フィルタカバー３４ａ、３４ｂと、電池カバー３６と、把持部３８と、集塵ケース４０と、解除ボタン４２と、操作スイッチ４４と、表示部４６とからなる。
【００１７】
吸込口１２は、清掃面から塵埃を吸込むためにヘッド２の下部に設けられる。図３に示すように吸込口１２はヘッド１の清掃面側のほぼ中央に設けられる。吸込口１２の構造は、従来から採用されているような単に開口部を有するだけの形状であってもよいが、吸込口１２の内部にブラシなどの回転部材を有するものであっても良い。回転部材を有することによって清掃面、特にカーペットなどの毛足の長いものの中にある塵埃をかきだし、より多くの塵埃を吸込むことが可能になる。
【００１８】
後側車輪１４は、ヘッド１の後側中央に設けられる。この後側車輪１４を設けることで電気掃除機１００を第１の使用状態または第２の使用状態のいずれかで使用するときにスムーズに電気掃除機１００を前後に動かすことができるので、吸引力で電気掃除機１００が寝具類に吸いつき電気掃除機１００が操作しにくくなる事を防ぐことができる。本実施形態の後側車輪１４は円筒形状をしているが、一般的なタイヤのような形状であってもよい。
【００１９】
センサ検知表示部１６は、本発明にかかる電気掃除機１００の吸込口１２近傍に設けられるセンサ（不図示）の検知結果を表示する。表示方法は、センサに検知される塵埃の量に応じた表示を行う。本実施形態におけるセンサ検知表示部１６は、塵埃等の量に応じて色を変化させる。たとえば、塵埃が多い場合は赤色に発光させ、塵埃が少なくなるにつれて黄色、緑色と変化させる。また、センサ検知表示部１６は発光手段（不図示）が搭載された基板（不図示）と、その基板を覆う散乱板から構成されている。発光手段は本発明の電気掃除機１００においては赤色と緑色の発光ダイオードである。複数の色を発光する発光ダイオードを搭載し、かつそれぞれの発光ダイオードの明るさを調整することで複数の色を作り出すことが可能となる。さらに散乱板で覆うことにより発光ダイオードの光を散乱板全体から射出することが可能となり、視認性が向上する。
【００２０】
窓部１８ａ、１８ｂは、ヘッド１後端部の左右にそれぞれ設けられる。窓部１８ａ、１８ｂの下部には後述する紫外線ランプ２８が設けられる。紫外線ランプ２８が点灯したときは、窓部１８ａ、１８ｂから紫外線ランプ２８の点灯の様子を確認することができる。本発明にかかる電気掃除機１００は、紫外線ランプ２８の点灯を見ようとしてヘッド１を裏返すと安全機構が動作し紫外線ランプ２８が消灯するため、操作者が紫外線ランプ２８の点灯状態をヘッド２を裏返して確認することはできない。したがって窓部１８ａ、１８ｂをヘッド２の上部に設けることによってヘッド１を裏返すことなく紫外線ランプ２８が動作しているか否かを確認することが可能となる。窓部１８ａ、１８ｂを構成する部材は、透明であってもよいが透明度を抑えた部材を使用してもよい。こうすることで紫外線ランプ２８の射出光が操作者の目に直接入ることを防ぐ。
【００２１】
前側車輪２０ａ、２０ｂは、ヘッド１の清掃面側の前部に設けられる。電気掃除機１００を前後に動かすときに後側車輪１４とともに清掃面上を回転するので、清掃面上をスムーズにヘッド１を動かすことが可能となる。
【００２２】
突起部２２ａ〜２２ｉはヘッド１の清掃面側の前端に設けられる。突起を複数設けることによって清掃面と吸込口１２との間に空間ができるため、電気掃除機１００と清掃面とが密着することを防止することができる。なお、本発明の電気掃除機１００では突起を９つ設けているが、突起の数は９つよりも多くても少なくてもよい。
【００２３】
たたき部２４ａ、２４ｂはヘッド１の吸込口１２と突起部２２ａ〜２２ｉとの間に設けられる。たたき部２４ａ、２４ｂで清掃面をたたくことで清掃面、特に寝具類の奥にある塵埃などをたたき出し吸い込むことができるため、より効果的な清掃をすることが可能となる。本発明のたたき部２４ａ、２４ｂは、表面に突起を有する板が２枚使用され吸込口１２の幅とほぼ同じ幅にわたって設けられる。この構成によって吸込口１２の一部のみ塵埃がたたき出されるのではなく吸込口１２の幅全体で塵埃をたたき出すことができるため、効率よく清掃を行うことが可能となる。なお、本発明の電気掃除機１００にはたたき部が２つ設けられているが、１つであっても３つ以上設けても良い。
【００２４】
本発明にかかる電気掃除機１００のたたき部２４ａ、２４ｂの振動は、ヘッド１に内蔵される振動モータ（不図示）によって実現している。たたき部２４ａ、２４ｂのそれぞれに設けられる振動モータの振動によってたたき部２４ａ、２４ｂは清掃面に対して上下に振動する。また、振動モータの周囲を緩衝材で囲ってもよい。こうすることで振動モータの騒音またはヘッド１で発生するビビり音を防ぐことができる。
【００２５】
更に、振動モータの回転数が異なるモータを採用したり、振動周波数がランダムに変わるような制御を行ってもよい。こうすることで振動モータの振動周波数がケースの共振周波数と一致して発生する騒音を防ぐことが可能となる。
【００２６】
パイル２６はヘッド１の清掃面側、吸込口１２の後側に設けられる。パイル２６は清掃面に接するように設けられる。これにより、吸込口１２周辺の気密性を高め効率的に塵埃を吸い込むことができる。また、パイル地でできているので、ヘッド１が清掃面に接していても清掃面を傷つけることを防ぐことができる。
【００２７】
紫外線ランプ２８は、ヘッド１の清掃面側後部に設けられる。紫外線ランプ２８はヘッド１の内部に取り付けられ、カバーで覆われる。格子状のカバーが設けられ、格子を通して清掃面に紫外線を照射する。電気掃除機１００を使用する際に紫外線ランプ２８を点灯させることによって、寝具類の殺菌・除菌などを行う。なお、紫外線ランプ２８の他にも、紫外線を出力するものであれば発光ダイオードなどその他の発光手段を用いてもよい。
【００２８】
接地センサ３０ａ、３０ｂは、ヘッド１の紫外線ランプ２８の前後にそれぞれ取り付けられ、前部に取り付けられた接地センサ３０ａは紫外線ランプ２８の左側に取り付けられ、後部に取り付けられた接地センサ３０ｂは紫外線ランプ２８の右側に設けられる。接地センサ３０ａ、３０ｂは、発光部と受光部とから構成され、発光部から発せられる光が接地面に反射し受光部で反射光を受光することで接地したと判断する。逆に受光部で光を受光できなかったときは床面から離れていると判断される。
【００２９】
本発明にかかる電気掃除機１００では、接地センサ３０ａ、３０ｂのいずれかが清掃面から離れたとき紫外線ランプ２８は消灯する。この制御によって、紫外線ランプ２８からの紫外線が直接目に入ることがない。また、接地センサ３０ａ、３０ｂがどちらも清掃面から離れたときは紫外線ランプ２８を消灯するとともに電気掃除機１００をアイドリング状態にする。この制御によって、塵埃を吸い込むことができない状態のときに電気掃除機１００の消費電力を抑えることが可能となる。
【００３０】
本体側車輪３２は、本体２の下部ほぼ中央に設けられる。前側車輪２０ａ、２０ｂと後側車輪１４とで電気掃除機１００をスムーズに動かすことができる。本発明にかかる電気掃除機１００の本体側車輪３２は円筒形状をしているが、一般的なタイヤのような形状であってもよい。
【００３１】
フィルタカバー３４ａ、３４ｂは本体２の左右側面のそれぞれに設けられる。フィルタカバー３４ａ、３４ｂの内側には塵埃を吸着するフィルタ（不図示）が取り付けられている。吸込口１２から吸い込まれた塵埃は、このフィルタで除去される。フィルタカバー３４ａ、３４ｂにはスリットが複数設けられており、塵埃が除去された空気がフィルタカバー３４ａ、３４ｂから掃除機の外部に排出される。この構成によって、吸引された塵埃やダニの死骸などが再び外部に排出されることを防止している。なお、フィルタはＨＥＰＡ（Ｈｉｇｈ  Ｅｆｆｉｃｉｅｎｃｙ  Ｐａｒｔｉｃｕｌａｔｅ  Ａｉｒ）フィルタであってもよい。
【００３２】
電池カバー３６は本体２の後部に設けられる。本発明にかかる電気掃除機１００は商用電源からではなく、バッテリ（不図示）で駆動する。バッテリは、電池カバー３６を開け後部から挿入される。電池カバー３６がバッテリを内部に押すような力を加えている事によって、バッテリと掃除機内部の電源部との接触を良好に保つとともに、バッテリが不用意に掃除機の外部に飛び出すことを防いでいる。
【００３３】
把持部３８は本体２上部に本体２と一体に形成される。操作者は把持部３８を持ち電気掃除機１００を操作する。把持部３８の近傍には操作スイッチ４４が設けられており、把持部３８を保持したまま操作スイッチ４４を押すことができるような形状になっている。なお、把持部３８の下側に凸部または凹部を設けて、操作者の指がかかるようにしておくと、操作者が持つ位置を一定の位置に誘導することが可能となり、操作スイッチ４４を押すこともより容易になる。
【００３４】
集塵ケース４０には、吸込口１２から吸引された塵埃などが捕集される。集塵ケース４０は集塵ケース４０の側面に設けられる解除ボタン４２を押すことで取り外すことが可能である。集塵ケース４０を本体２から取り外し、中にたまった塵埃を捨てることが可能である。
【００３５】
操作スイッチ４４は、把持部３８の前方に設けられる。操作スイッチ４４を押すことで電気掃除機１００を動作状態にする。本発明にかかる電気掃除機１００は操作スイッチ４４が一つのため、操作スイッチ４４を操作することでたたき部２４ａ、２４ｂが動作するモード、たたき部２４ａ、２４ｂが動作しないモード、電源オフモードと動作モードを遷移させる。それぞれの動作モードに対応した複数の操作スイッチを設けても良い。
【００３６】
表示部４６は、操作スイッチ４４と集塵ケース４０の間に設けられる。表示部４６には発光ダイオードが一列に配列されている。動作モード、動作モード・充電モードによって発光ダイオードを点灯させ、電気掃除機１００の動作状態を見てわかるようになっている。
【００３７】
次に、ヘッド１と本体２とを回動可能に接続する機構について図８、９を用いて説明する。接続部分は本体２に設けられる回動部４８とヘッド１に設けられる受け部５０とで構成される。回動部４８が受け部５０の凹部５０ａに収まり回転動作を実現する。
【００３８】
回動部４８の周囲には回動規制部５２が設けられる。本発明にかかる電気掃除機１００の回動規制部５２は第１凸部５２ａ、第２凸部５２ｂ、第３凸部５２ｃとからなる。第１凸部５２ａと第２凸部５２ｂとの間隔は第２凸部５２ｂと第３凸部５２ｃとの間隔より長くなるように形成される。
【００３９】
一方、受け部５０には、第１平板部５０ｂと第２平板５０ｃは凹部５０ａの内側の前後方向に間隔を開けて設けられる。また第１平板部５０ｂ、第２平板部５０ｃは回動部４８が凹部５０ａに収まったときに回動規制部５２の凸部と平板部５０ｂ、５０ｃとが接する位置に設けられる。回動規制部５２が平板部５０ａ、５０ｂに接することにより摩擦力が発生し、回動を規制することが可能となる。
【００４０】
次に、それぞれの使用状態のときの接続部分の状態について図９を用いて説明する。図９（ａ）に示すように、電気掃除機１００が収納状態のとき、回動規制部５２の第２凸部５２ｂと第３凸部５２ｃとはそれぞれ第１平板部５０ｂと第２平板部５０ｃと同時に接する。本発明の電気掃除機１００の後部にはバッテリが内蔵されるため、収納状態のときバッテリの重みで本体２が倒れないように本体２がヘッド１の上にほぼ垂直に立つことを可能としている。
【００４１】
図９（ｂ）に示すように、電気掃除機１００が第１の使用状態のとき、回動規制部５２の第１凸部５２ａは第１平板部５０ｂに接する。こうすることで、回動規制部５２と平板部５０ｂ、５０ｃとで摩擦力が発生し、ヘッド１と本体２との回動を規制することができる。このとき把持部３８とヘッド１までの長さが前後方向に長い形状となるため、遠くの清掃範囲まで電気掃除機１００が届きやすい。
【００４２】
図９（ｃ）に示すように、電気掃除機１００が第２の使用状態のとき、回動規制部５２は第１平板部５０ｂ、第２平板部５０ｃのいずれにも接することがない。このような構成にすることによって操作者と電気掃除機１００との位置関係に応じてヘッド１と本体２とが成す角度が変化するので把持部と操作する者の手の角度が不自然にならない。
【００４３】
第１固定部５４と第２固定部５６はそれぞれヘッド１と本体２に設けられる。本発明における電気掃除機１００では第１固定部５４は磁石を、第２固定部５６は金属板を用いている。電気掃除機１００が第１使用状態のとき、第１固定部５４と第２固定部５６が接触する位置にそれぞれ設けられる。第１使用状態のときに、第１固定部５４、第２固定部５６が接触することで、磁力によって接触した状態を保持する。第１固定部５４、第２固定部５６を設けることで回動規制部５２と平板部５０ｂ、５０ｃとで実現する回動の規制よりも強い力で規制することが可能となる。なお、本発明では磁石と金属板を用いたが、同じ効果をもたらすものであれば磁石以外であってもよい。
【００４４】
（検出部の詳細な構成）
次に、検出部５８の詳細な構成について図１０から図１２を用いて説明する。
【００４５】
検出部５８は本体２の先端部に設けられ、吸引された塵埃などの量を検出して検出信号をセンサ検知表示部１６へ出力する。図１１に示すように検出部５８は、発光部基板５８ａ、発光部基板５８ａ上に実装される発光素子５８ｂ、受光部基板５８ｃ、受光部基板５８ｃ上に実装される受光素子５８ｄから構成される。発光部基板５８ａと受光部基板５８ｃは通風路６０の左右側面にそれぞれ設けられ、発光素子５８ｂから射出される光は通風路６０を横切って反対側の受光素子５８ｄで受光される。
【００４６】
図１１に示すように発光部基板５８ａは本体２の回動部４８に基板の一部が重なるように本体２の裏側に設けられる。受光部基板５８ｃも反対側の同様の位置に設けられる。回動部４８の中央は本体２の内側につながるように貫通しているので発光部基板５８ａとセンサ検知表示部１６とを接続する配線をこの貫通孔を通して引き回すことが可能である。
【００４７】
次にセンサ検知表示部１６の詳細な構成について図１２を用いて説明する。センサ検知表示部１６はセンサ検知表示部カバー１６ａ、拡散部１６ｂ、センサ検知表示部基板１６ｃから構成され、ヘッド１に設けられる。
【００４８】
センサ検知表示部カバー１６ａは略半円状の部分と、長方形状の部分とが折れ曲がって接続された形状をしている。また、センサ検知表示部カバーの外周には３つの爪が設けられ、ヘッド１に形成された穴にそれぞれの爪が入ってセンサ検知表示部カバー１６ａが固定される。こうすることで、センサ検知表示部カバー１６ａをヘッド１にねじ止めする必要が無くなるので、センサ検知表示部カバー１６上にねじ穴を設ける必要が無くなり、表示部として利用できるスペースを最大限確保することが可能となる。
【００４９】
さらにセンサ検知表示部カバー１６ａにはのこぎり歯状の凹凸が設けられ、光を散乱することが可能である。こうすることでセンサ検知表示部カバー１６ａ全体から光を射出することが可能となり、視認性の良いセンサ検知表示部１６が実現することができる。
【００５０】
拡散部１６ｂは、センサ検知表示部１６ａの下側に設けられる。拡散部１６ｂを設け光を拡散部１６ｂ全体に拡散させることによって発光部分とそうでないところとのコントラストを抑えることができる。本発明にかかる電気掃除機１００の拡散部１６ｂは白色の薄手のシートを採用しているが、上記の目的を達成できるものであれば材質や色はどれでも構わない。また、拡散部１６ｂにスモークをかけたものや、凹凸を設けたものであってもよい。
【００５１】
センサ検知表示部基板１６ｃには実装された発光手段（不図示）が搭載される。発光手段は本発明にかかる電気掃除機１００においては赤色と緑色の２色を発光することが可能な発光ダイオードである。複数の色を発光する発光ダイオードを搭載し、かつそれぞれの発光ダイオードの明るさを調整することで複数の色を作り出すことが可能となる。
【００５２】
（たたき部の詳細な構成）
次に、たたき部２４ａ、２４ｂの詳細な構成について図１３、図１４を用いて説明する。なお、たたき部２４ａ、２４ｂは、左右一対で構成され同様の構成であるため、詳細な説明はたたき部２４ｂについて説明する。
【００５３】
たたき部２４ｂは清掃面をたたくたたき部２４ｂとヘッド１内部に設けられる振動モータ６２と振動モータ６２を収納する振動モータケース６４とから構成される。振動モータ６２は回転軸６２ａに偏心されて取り付けられた分銅６２ｂが回転することによって回転速度に応じた振動を発生させる。振動モータ６２を駆動するための電力は配線６２ｃによって外部から供給される。このため、振動モータケース６４は分割可能に構成され、配線６２ｃを振動モータケース６４の外部に出すことができる。
【００５４】
たたき部２４ｂと振動モータケース６４とはねじ６６によってねじ止めされ、振動モータ６２の振動が振動モータケース６４に伝わりたたき部２４ｂを振動させる。なお、たたき部２４ｂと振動モータケース６４との固定はねじ止め以外の固定方法であっても良い。
【００５５】
振動モータ６２は振動時には振動モータ６２と振動モータケース６４とがぶつかり、いわゆるビビり音が発生する。これを防ぐために各部に振動を吸収する部材を設ける。
【００５６】
第１振動吸収部材６８は、たたき部２４ｂが挿入されるためにヘッド１下部に設けられる貫通孔に設けられる。この構成にすることでたたき部２４ｂとヘッド１とが振動モータ６２の振動によってビビり音を発生させることを防ぐことができる。
【００５７】
第２振動吸収部材７０は、振動モータケース６４とヘッド１との間に位置する空間に設けられる。この構成にすることで振動モータ６２の動作による振動モータケース６４の振動がヘッド１に伝わることを防止し、ビビり音を発生させることを防ぐことができる。
【００５８】
第３振動吸収部材７２は、振動モータ６２の上部に設けられる。この構成にすることで振動モータ６２の振動が直接振動モータケース６４に伝わることを防ぐことができる。
【００５９】
図１４は、図１３に示す一点鎖線Ｂ−Ｂで分割した時の断面図である。
【００６０】
第４振動吸収部材７４は、振動モータケース６４と振動モータケース６４の後方に設けられる仕切り壁７６との間に設けられ、振動が仕切り壁７６に伝わることを防ぐ。
【００６１】
第５振動吸収部材７８は、振動モータケース６４の上部前方に設けられ、振動モータケース６４とヘッド１とが振動によってビビり音が発生することを防ぐ。
【００６２】
本発明にかかる電気掃除機１００では第１振動吸収部６８から第５振動吸収部材７８によって振動を吸収しビビり音を抑えるが、この他にもビビり音が発生する場所に振動吸収部材を設けても良い。なお、振動吸収材としては、ゴムやポリウレタン系の材質を用いることができるが振動を吸収する材料であればよい。
【００６３】
（紫外線ランプの詳細な構成）
次に紫外線ランプ２８周辺の構成について図１５から図１７を用いて説明する。紫外線ランプ２８はヘッド１内部、吸込み口１２後方に配置される。紫外線ランプ２８から出射する紫外線は、ヘッド１下部より清掃面に向けて照射され、清掃面の殺菌または除菌を行う。
【００６４】
反射板２８ａは紫外線ランプ２８の上側を覆うように設けられる。紫外線ランプ２８は円筒形状のため、紫外線ランプ２８が点灯すると紫外線は円当面の法線方向に出射される。反射板２８ａは、紫外線ランプ２８の上方に出射される光を反射させて紫外線の出射方向を清掃面側に変える。
【００６５】
本発明にかかる電気掃除機１００はバッテリで駆動するため、紫外線ランプ２８は電力をできるだけ消費しない小電力のランプを使用しているが、この構成にすることにより清掃面とは逆の方向に出射する紫外線も清掃面の殺菌・除菌に利用することが可能であり、小電力のランプであっても出射する光を効率よく使用することができる。
【００６６】
さらに本発明にかかる電気掃除機１００の反射板２８ａは半円筒形状を採用しているが、上方へ出される光を清掃面側に変更できる形状であれば、略円筒状であっても、多角形状であってもかまわない。
【００６７】
また、反射板２８ａの上部には開口部が左右に設けられ、開口部から筒状部２８ｂ、２８ｃが形成される。筒状部２８ｂ、２８ｃは紫外線ランプ２８の出射光をヘッド１上部に設けられる窓部１８ａ、１８ｂに導く。この構成にすることによって窓部１８ａ、１８ｂを通じて紫外線ランプ２８の点灯・非点灯を確認することができるので、紫外線ランプ２８の動作を確認しようとしてヘッド１を裏返すことが不要となる。
【００６８】
壁部２８ｄは筒状部２８ｃに接するように反射板２８ａ上に設けられる。壁部２８ｄにはスリットが設けられ、電気配線を固定することが可能である。
【００６９】
本発明にかかる電気掃除機１００は紫外線ランプ２８の出射光が直接目に入らないようにヘッド１が清掃面から持ち上がったときに非点灯となる接地センサ３０ａ、３０ｂを有している。接地センサ３０ａ、３０ｂは発光素子と受光素子とから構成され、発光素子から発光した光が清掃面に反射して受光素子が受光した時は接地状態と判定し、受光素子が受光しなかったときは清掃面から離れていると判定する。
【００７０】
接地センサ３０ａは紫外線ランプ２８の前方左側に配置され、接地センサ３０ｂは紫外線ランプ２８の後方右側に配置される。接地センサ３０ａ、３０ｂのどちらかがヘッド１が清掃面から離れたことを検知した時、紫外線ランプ２８は消灯する。
【００７１】
接地センサ３０ａ、３０ｂのための配線は本体２から回動部４８の開口部を通してヘッド１から引き出される。本体２から引き出された配線のうち接地センサ３０ａへは直接配線が引き回される。接地センサ３０ｂへは、配線は吸込み口１２上部を通り壁部２８ｄのスリットを通って接地センサ３０ｂまで引き回される。壁部２８ｄのスリットを通して引き回すことによって配線がヘッド１内部で不用意に動いてしまうことを防ぐことができる。
【００７２】
本発明にかかる電気掃除機１００は、配線固定用の壁部として上述の壁部２８ｄの他に、吸込み口１２上に設けられる壁部８０ａ、８０ｂと振動モータケース６４の外側に設けられる壁部８０ｃ、８０ｄを有している。壁部８０ａ、８０ｂ、８０ｃ、８０ｄそれぞれには壁部２８ｄ同様配線固定用のスリットが形成されている。
【００７３】
図１７にはヘッド１内部の配線の引き回しが模式的に示されている。図中、太線が配線を表したものであり、壁部８０ａ、８０ｂとで右側の振動モータ６２、接地センサ３０ｂに接続される配線が固定される。２か所で固定することにより複数の配線がヘッド１内部でばらばらになることなく、まとまって吸込み口１２上に引き回すことができる。
【００７４】
壁部８０ｃ、８０ｄには左右それぞれの振動モータ６２に接続される配線が固定される。振動モータ６２が振動するため配線にも振動が伝わるが壁部８０ｃ、８０ｄに固定されるため、必要以上に配線が動くことなく、断線を防ぐことができる。
【００７５】
なお本発明は、上述した実施形態に限定されるものではなく、本発明の要旨を変えない範囲において、種々の変更、改変等が可能である。
【符号の説明】
【００７６】
１００    電気掃除機
１    ヘッド
２    本体
１２    吸込口
１２ａ、１２ｂ    開口部
１４    後側車輪
１６    センサ検知表示部
１６ａ    センサ検知表示部カバー
１６ｂ    拡散部
１６ｃ    センサ検知表示部基板
１８ａ、１８ｂ    窓部
２０ａ、２０ｂ    前側車輪
２２ａ〜２２ｉ    突起部
２４ａ、２４ｂ      たたき部
２６    パイル
２８    紫外線ランプ
２８ａ    反射板
２８ｂ、２８ｃ    筒状部
２８ｄ    壁部
３０ａ、３０ｂ    接地センサ
３２    本体側車輪
３４ａ、３４ｂ    フィルタカバー
３６    電池カバー
３８    把持部
４０    集塵ケース
４２    解除ボタン
４４    操作スイッチ
４６    表示部
４８    回動部
５０    受け部
５０ａ    凹部
５０ｂ    第１平板部
５０ｃ    第２平板部
５２    回動規制部
５２ａ    第１凸部
５２ｂ    第２凸部
５２ｃ    第３凸部
５４    第１固定部
５６    第２固定部
５８    検出部
５８ａ    発光部基板
５８ｂ    発光素子
５８ｃ    受光部基板
５８ｄ    受光素子
６０    通風路
６２    振動モータ
６２ａ    回転軸
６２ｂ    分銅
６２ｃ    モータ用配線
６４    振動モータケース
６６    ねじ
６８    第１振動吸収部材
７０    第２振動吸収部材
７２    第３振動吸収部材
７４    第４振動吸収部材
７６    仕切り壁
７８    第５振動吸収部材
８０ａ、８０ｂ、８０ｃ、８０ｄ    壁状部
【図１】
2020195910.tif 000003
【図２】
2020195910.tif 000004
【図３】
2020195910.tif 000005
【図４】
2020195910.tif 000006
【図５】
2020195910.tif 000007
【図６】
2020195910.tif 000008
【図７】
2020195910.tif 000009
【図８】
2020195910.tif 000010
【図９】
2020195910.tif 000011
【図１０】
2020195910.tif 000012
【図１１】
2020195910.tif 000013
【図１２】
2020195910.tif 000014
【図１３】
2020195910.tif 000015
【図１４】
2020195910.tif 000016
【図１５】
2020195910.tif 000017
【図１６】
2020195910.tif 000018
【図１７】
2020195910.tif 000019